(57)【特許請求の範囲】
【請求項１】
金属薄板製で半田付け性の良好な表面処理を施された複数個の導出端子を下面外周に備えた、上面開放で箱形の樹脂ケースと、この樹脂ケース内に収容されて、少なくとも一部の導出端子と導通した接点部材と、上記樹脂ケースの上面開口部を覆うと共に、上記導出端子の少なくとも一つに弾接触する脚部が一体に設けられた金属薄板製のカバーと、このカバーの孔を貫通して上方に突出した操作部からなり、上記脚部が弾接触する導出端子が使用電子機器のアース回路に接続される操作型電子部品。
【請求項２】
弾性金属薄板製のカバーから下方に向けて設けられた弾性を有する脚部の外側面と、樹脂ケース下面外周から導出された所定の導出端子の内側面が弾接触する請求項１記載の操作型電子部品。
【請求項３】
弾性を有する脚部先端の尖った部分が導出端子に弾接触する請求項２記載の操作型電子部品。
【請求項４】
弾性を有する脚部が所定の位置から下方に向けて設けられた弾性金属薄板製のカバーを樹脂ケースの上面開口部を覆うように装着した後、上記樹脂ケース下面外周から突出した所定の導出端子を、根元部を支点として上方に折り曲げて、上記樹脂ケースの外方側から中心方向に、上記脚部との当接位置よりも更に上記脚部を撓ませて折り曲げることにより、上記脚部と上記導出端子を弾接触させる請求項２記載の操作型電子部品の製造方法。
【請求項５】
樹脂ケースの下面外周に設けられ、上記樹脂ケース内の何れの接点部材とも導通しない導出端子が、カバーに設けられた脚部と弾接触する請求項１記載の操作型電子部品。
【請求項６】
樹脂ケース内の接点部材と導通する導出端子と共に、何れの上記接点部材とも導通しない導出端子を同一金属薄板から同時に形成する請求項５記載の操作型電子部品の製造方法。
【発明の詳細な説明】
【０００１】
【発明の属する技術分野】
本発明は、電子機器の配線基板上に装着され、操作する人の手や指が直接あるいは間接的に、操作部に触れて使用される操作型電子部品およびその製造方法に関するものである。
【０００２】
【従来の技術】
近年、電子機器の配線基板上に装着して使用される操作型電子部品においては、操作する人の身体が帯びている静電気が、手や指から電子部品の操作部を介して電子機器の回路に流入しないように保護するための対策が施されており、その方法として一般に、電子機器の操作部近傍の導電体に、静電気を配線基板のアース回路に逃がすためのアース端子が設けられる。
【０００３】
このような静電気対策を施した従来の操作型電子部品について、薄型のプッシュスイッチを例として説明する。
【０００４】
図１１は静電気対策を施した従来の薄型プッシュスイッチの正面断面図、図１２は同分解斜視図である。
【０００５】
同図に示すように、上面開放となった箱形の樹脂ケース１の内底面にインサート成形固定された金属薄板製の外側固定接点２Ａ上に、弾性金属薄板製の円形ドーム状の可動接点３の外周部が載せられ、その中央下面が樹脂ケース１の内底面に固定された中央固定接点２Ｂと対峙し、更に、可動接点３の中央上部に操作体としての樹脂製の押ボタン４が載せられ、この押ボタン４中央の円柱部が樹脂ケース１の開口部を覆う金属薄板製のカバー５中央の孔５Ａを貫通し、操作部４Ａとして上方に突出している。
【０００６】
そして、この導電体である金属薄板製のカバー５の外周の一部から導出されたアース端子６が樹脂ケース１の下面とほぼ同高さまで伸ばされ、その先端部が折り曲げられて接続部６Ａとなっている。
【０００７】
このように構成された薄型プッシュスイッチは、図１１に示すように、外側固定接点２Ａおよび中央固定接点２Ｂそれぞれと導通して樹脂ケース１の下面外周から導出された、二つずつの半田付け性の良好な導出端子７Ａ，７Ｂおよび７Ｃ，７Ｄ（図１１中には、導出端子７Ｄしか図示せず。）を、使用電子機器の配線基板８上の所定回路の配線部８Ａに半田付け接続して薄型プッシュスイッチ全体を接続・固定されると共に、上記の接続部６Ａを配線基板８のアース回路の配線部８Ｂに半田付け接続される。
【０００８】
なお、樹脂ケース１の内底面にインサート成形固定された外側固定接点２Ａおよび中央固定接点２Ｂそれぞれと導通して二つずつの導出端子７Ａ，７Ｂおよび７Ｃ，７Ｄが設けられるのは、これらの導出端子７Ａ〜７Ｄによって薄型プッシュスイッチ全体を配線基板８に固定するので、その強度を大きく安定したものとするためである。
【０００９】
そして、図１３の正面部分断面図に示すように、使用電子機器の配線基板８に装着された薄型プッシュスイッチを操作する人の指９が操作部４Ａの上端を押す際に、操作する人の身体に帯びている静電気が指９から操作部４Ａに流れても、その静電気はカバー５およびアース端子６を通って配線基板８のアース回路に逃がされるものであった。
【００１０】
【発明が解決しようとする課題】
しかしながら上記従来の薄型プッシュスイッチのように、操作部４Ａが貫通する孔５Ａを有する金属薄板製のカバー５から導出されたアース端子６先端の接続部６Ａを、配線基板８のアース回路の配線部８Ｂに半田付け接続して静電気対策を行なう操作型電子部品においては、接続部６Ａに半田付け性を良くするためのメッキ処理をすることが望ましいが、カバー５の加工後にメッキ処理をすれば細長いアース端子６が変形するので、あらかじめメッキ処理を施した金属板を加工することが多い。
【００１１】
このため、接続部６Ａの打抜き加工された断面に素材が露出するので、接触部６Ａは下面のみで半田付け接続されることになり、半田付けによる接続が不安定となるものがあるという課題があった。
【００１２】
本発明は、このような従来の課題を解決するものであり、金属薄板製のカバーから導出されるアース用の脚部に半田付け性の良好な表面処理をする必要が無く、操作部が貫通する孔を有するカバーと配線基板を安価に確実に導通させて静電気対策をすることができる操作型電子部品およびその製造方法を提供することを目的とする。
【００１３】
【課題を解決するための手段】
上記目的を達成するために本発明は、以下の構成を有するものである。
【００１４】
本発明の請求項１に記載の発明は、金属薄板製で半田付け性の良好な表面処理を施された複数個の導出端子を下面外周に備えた上面開放の樹脂ケースと、樹脂ケース内に収容されて、少なくとも一部の導出端子と導通した接点部材と、樹脂ケースの上面開口部を覆うと共に、導出端子の少なくとも一つに弾接触する脚部が一体に設けられた金属薄板製のカバーと、カバーの孔を貫通して上方に突出した操作部からなり、脚部が弾接触する導出端子が使用電子機器のアース回路に接続される操作型電子部品としたものであり、金属薄板製のカバーと一体に設けられたアース用の脚部が、半田付け性の良好な表面処理を施された導出端子と弾接触しているので、脚部に半田付け性の良好なメッキ処理をしなくても、導出端子を使用電子機器の配線基板に半田付け接続することによって、操作部が貫通する孔を有する金属薄板製のカバーを使用電子機器の配線基板のアース回路に、安価に確実に導通させることができて、操作する人の帯びている静電気を配線基板のアース回路に逃がすことができる操作型電子部品を実現することができるという作用効果が得られる。
【００１５】
請求項２に記載の発明は、請求項１記載の発明において、特に、弾性金属薄板製のカバーから下方に向けて設けられた弾性を有する脚部の外側面と、樹脂ケース下面外周から導出された所定の導出端子の内側面が弾接触するものであり、アース用の脚部を一体に設けるカバーのみを弾性を有する金属薄板で形成することによって、脚部と所定の導出端子を弾接触させて、カバーを配線基板のアース回路に、安価に確実に導通させることができるという作用効果が得られる。
【００１６】
請求項３に記載の発明は、請求項２記載の発明において、特に、弾性を有する脚部先端の尖った部分が導出端子に弾接触するものであり、アース用の脚部先端が所定の導出端子に弾接触する単位面積当たりの接触圧力を大きくすることができて電気的に安定した接触状態とすることができるので、カバーに伝わる静電気を安定してアース回路に放電させることができるという作用効果が得られる。
【００１７】
請求項４に記載の発明は、弾性を有する脚部が所定の位置から下方に向けて設けられた弾性金属薄板製のカバーを樹脂ケースの上面開口部を覆うように装着した後、樹脂ケース下面外周から突出した所定の導出端子を、根元部を支点として上方に折り曲げて、樹脂ケースの外方側から中心方向に、脚部との当接位置よりも更に脚部を撓ませて折り曲げることにより、脚部と導出端子を弾接触させる請求項２記載の操作型電子部品の製造方法としたものであり、操作型電子部品の樹脂ケース下面外周に設けられた導出端子を、いわゆるＪ−ベントタイプとなるように折り曲げ加工することによって、アース用の脚部と所定の導出端子を所定の接触圧力で弾接触させることができるという作用効果が得られる。
【００１８】
請求項５に記載の発明は、請求項１記載の発明において、特に、樹脂ケースの下面外周に設けられ、樹脂ケース内の何れの接点部材とも導通しない導出端子が、カバーに設けられた脚部と弾接触するものであり、使用電子機器において、操作型電子部品を使用する所定回路がアース回路と独立している場合に、カバーのみをアース回路に導通させることができ、上記操作型電子部品を使用する所定回路には静電気を流すことをなくせるため回路設計も容易にすることができるという作用効果が得られる。
【００１９】
請求項６に記載の発明は、樹脂ケース内の接点部材と導通する導出端子と共に、何れの上記接点部材とも導通しない導出端子を同一金属薄板から同時に形成する請求項５記載の操作型電子部品の製造方法としたものであり、カバーのみをアース回路に導通させる導出端子を備えた操作型電子部品を、安価に効率よく実現することができるという作用効果が得られる。
【００２０】
【発明の実施の形態】
以下、本発明の実施の形態について、図１〜図１０を用いて説明する。
【００２１】
なお、従来の技術の項で説明した構成と同一構成の部分には同一符号を付して、詳細な説明を省略する。
【００２２】
（実施の形態１）
実施の形態１を用いて、本発明の特に請求項１〜４に記載の発明について説明する。
【００２３】
図１は本発明の第１の実施の形態による操作型電子部品としての薄型プッシュスイッチの外観斜視図、図２は同正面部分断面図、図３は同分解斜視図である。
【００２４】
同図に示すように、本実施の形態による薄型プッシュスイッチは、上面開放となった箱形の樹脂ケース１の内底面にインサート成形固定された金属薄板製の外側固定接点２Ａ上に、弾性金属薄板製の円形ドーム状の可動接点３の外周部が載せられ、その中央下面が樹脂ケース１の内底面に固定された中央固定接点２Ｂと所定の間隔をあけて対峙し、更に、可動接点３の中央上部に操作体としての樹脂製の押ボタン４が載せられ、この押ボタン４中央の円柱部が樹脂ケース１の開口部を覆う金属薄板製のカバー１１の中央の孔１１Ａを貫通し、操作部４Ａとして上方に突出していることは、従来の技術の場合と同様である。
【００２５】
しかし、カバー１１は、弾性金属薄板で形成され、その外周の一部から下方に向けて導出されたアース用の脚部１１Ｂは、長さが樹脂ケース１の高さよりも少し短いと共に、弾性を有するものとなっており、樹脂ケース１内底面の外側固定接点２Ａと導通して樹脂ケース１の下面外周から導出された二つの導出端子７Ａ，７Ｂの一方である７Ａによって、樹脂ケース１の外方側から中心方向に押しつけられ、脚部１１Ｂの外側面と導出端子７Ａの内側面が弾接触している。
【００２６】
このとき、上記カバー１１は、半田付けを良好にするための表面処理はなされていないものにより形成されている。
【００２７】
また、本実施の形態による薄型プッシュスイッチは、従来の技術の場合と同様に、配線基板１２に対する固定強度を大きくて安定したものとするために、樹脂ケース１の内底面にインサート成形固定された外側固定接点２Ａおよび中央固定接点２Ｂそれぞれと導通して二つずつの導出端子７Ａ，７Ｂおよび７Ｃ，７Ｄが設けられているが、更に、外側固定接点２Ａと導通した導出端子７Ａ，７Ｂはアース回路の配線部１２Ｂに接続されて使用されるようになっている。
【００２８】
ここで、本実施の形態による操作型電子部品としての薄型プッシュスイッチの樹脂ケース１の形成方法、およびこれを用いて薄型プッシュスイッチを組み立てる方法について説明する。
【００２９】
樹脂ケース１を形成するためには、まず、半田付け性が良好で接触特性も優れた銀メッキ等の表面処理を施した帯状の金属薄板を連続打抜き・曲げ加工して、図４の平面図に示すような、薄型プッシュスイッチの外側固定接点２Ａと導出端子７Ａ，７Ｂおよび中央固定接点２Ｂと導出端子７Ｃ，７Ｄとなる部分が、各導出端子となる部分の先端部を所定のピッチで連続して桟部１３Ａに連結された帯状の連結端子板１３を製作する。
【００３０】
なお、金属薄板の銀メッキ等の表面処理は、この帯状の連結端子板１３に加工してから行なうと、各導出端子７Ａ〜７Ｄの断面にも処理を施すことができる。
【００３１】
そして、この連結端子板１３を連続インサート成形加工して、図５の平面図に示すように、樹脂ケース１が各導出端子７Ａ〜７Ｄの先端部により所定のピッチで連続して桟部１３Ａに連結された帯状の連結ケース体１４を製作する。
【００３２】
この後、連結ケース体１４の各樹脂ケース１を、各導出端子７Ａ〜７Ｄの先端部で切断することによって、図３の下端に示した個別の樹脂ケース１となる。
【００３３】
次に、薄型プッシュスイッチの組み立ては、図３に示すように、樹脂ケース１の上面開口部から、円形ドーム状の可動接点３および樹脂製の押ボタン４を挿入し、押ボタン４中央の円柱部が操作部４Ａとして孔１１Ａから上方に突出するように、アース用の脚部１１Ｂを有する弾性金属薄板製のカバー１１を被せて、樹脂ケース１上面四隅のダボ１Ａをカシメることによって固定する。
【００３４】
この後、図６の正面図に矢印で示すように、樹脂ケース１の下面外周から平板状に設けられた四つの導出端子７Ａ，７Ｂおよび７Ｃ，７Ｄを、いわゆるＪ−ベントタイプとなるように根元部を支点として上方に折り曲げて、樹脂ケース１の左右の外方側から中心方向に、導出端子７Ａが脚部１１Ｂの先端と当接する位置よりも更に脚部１１Ｂを撓ませて折り曲げることにより、脚部１１Ｂの外側面とアース回路に接続される所定の導出端子７Ａの内側面を弾接触させて、図１に示した薄型プッシュスイッチとして完成する。
【００３５】
すなわち、アース用の脚部１１Ｂと導出端子７Ａは、弾性を有する金属薄板製の脚部１１Ｂが撓められることにより発生する一定の接触圧力で弾接触させられている。
【００３６】
そして、このようにして組み立てられた薄型プッシュスイッチの外側固定接点２Ａおよび中央固定接点２Ｂそれぞれと導通して二つずつの、半田付け性の良好な表面処理を施された導出端子７Ａ，７Ｂおよび７Ｃ，７Ｄを、使用電子機器の配線基板１２上のアース回路の配線部１２Ｂおよび所定回路の配線部１２Ａに半田付け接続することによって、薄型プッシュスイッチ全体が接続・固定されると共に、上記のカバー１１から導出されたアース用の脚部１１Ｂも配線基板１２のアース回路に確実に導通される（図２参照）。
【００３７】
したがって、図２に示すように、使用電子機器の配線基板１２に装着された本実施の形態による薄型プッシュスイッチを操作する人の指９が操作部４Ａの上端を押して樹脂ケース１内の可動接点３を弾性反転させ、外側固定接点２Ａと中央固定接点２Ｂの間を短絡してスイッチ動作させる際に、操作する人の身体に帯びている静電気が指９から操作部４Ａに流れても、その静電気はカバー１１から脚部１１Ｂおよび導出端子７Ａを通って配線基板１２のアース回路に逃がされるものである。
【００３８】
なお、上記の説明において、アース回路に接続された導出端子７Ａと弾接触する脚部１１Ｂの形状については特に述べなかったが、図７の他の形状のカバーの外観斜視図に示すように、弾性金属薄板製のカバー１５から一体に形成される脚部１５Ａを先端が尖った形状として、この尖った部分を導出端子７Ａに弾接触させることにより、アース用の脚部１５Ａの先端が導出端子７Ａに弾接触する単位面積当たりの接触圧力を大きくすることができ、電気的に安定した接触状態とすることができるので、カバー１５に伝わった静電気を安定してアース回路に放電させることができる。
【００３９】
このように本実施の形態によれば、弾性金属薄板製のカバー１１と一体に設けられたアース用の脚部１１Ｂが、半田付け性の良好な表面処理を施された導出端子７Ａと弾接触しているので、脚部１１Ｂに半田付け性の良好なメッキ処理をしなくても、導出端子７Ａを使用電子機器の配線基板に半田付け接続することによって、操作部４Ａが貫通する孔１１Ａを有するカバー１１を使用電子機器の配線基板１２のアース回路に、安価に確実に導通させることができて、操作する人の帯びている静電気を配線基板１２のアース回路に逃がすことができる操作型電子部品を実現することができるものである。
【００４０】
（実施の形態２）
実施の形態２を用いて、本発明の特に請求項５および６に記載の発明について説明する。
【００４１】
なお、実施の形態１の構成と同一構成の部分には同一符号を付して、詳細な説明を省略する。
【００４２】
図８は本発明の第２の実施の形態による操作型電子部品としての薄型プッシュスイッチを使用電子機器の配線基板に装着した状態を示す外観斜視図であり、同図に示すように、本実施の形態による薄型プッシュスイッチの外観は実施の形態１によるものと同じであるが、樹脂ケース１６の内底面に後述するようにインサート成形固定された外側固定接点１７Ａと中央固定接点１７Ｂと、樹脂ケース１６の下面外周から導出された四つの導出端子１８Ａ〜１８Ｄとの関係が異なっている。
【００４３】
すなわち、中央固定接点１７Ｂには二つの導出端子１８Ｃ，１８Ｄが導通しているが、外側固定接点１７Ａには一つの導出端子１８Ｂのみが導通して、導出端子１８Ａは何れの固定接点とも導通しないで、電気的に独立している。
【００４４】
そして、この独立した導出端子１８Ａに対して、実施の形態１と同様に、カバー１１の外周の一部から下方に向けて導出されたアース用の脚部１１Ｂが弾接触している。
【００４５】
すなわち、導出端子１８Ａはアース用の脚部１１Ｂ専用の導出端子となっており、図８に示すように、使用電子機器の配線基板１９上において、スイッチ接点部が導通される所定回路の配線部１９Ａと独立した、アース回路用の配線部１９Ｂに接続することができるものである。
【００４６】
ここで、この本実施の形態による操作型電子部品としての薄型プッシュスイッチの、樹脂ケース１６の形成方法およびこれを用いた薄型プッシュスイッチの組立方法を説明する。
【００４７】
樹脂ケース１６を形成するためには、まず、半田付け性が良好で接触特性も優れた表面処理を施した帯状の金属薄板を連続打抜き・曲げ加工して、図９の平面図に示すような、薄型プッシュスイッチの外側固定接点１７Ａと導出端子１８Ｂおよび中央固定接点１７Ｂと導出端子１８Ｃ，１８Ｄ並びに導出端子１８Ａとなる部分が、各導出端子となる部分の先端部を所定のピッチで連続して桟部２０Ａに連結された帯状の連結端子板２０を製作することは、実施の形態１において、図４に示したものと同様である。
【００４８】
そして、この連結端子板２０の導出端子１８Ａを外側固定接点１７Ａ（接点部材）から切り離した状態とした後、連続インサート成形加工して、図１０の平面図に示すように、樹脂ケース１６が各導出端子１８Ａ〜１８Ｄの先端部により所定のピッチで連続して桟部２０Ａに連結された帯状の連結ケース体２１を製作する。
【００４９】
この後、連結ケース体２１の各樹脂ケース１６を、各導出端子１８Ａ〜１８Ｄの先端部で切断することによって、個別の樹脂ケース１６となることも、実施の形態１において、図５に示したものと同様である。
【００５０】
更に、薄型プッシュスイッチに組み立て、導出端子１８Ａとカバー１１の脚部１１Ｂと弾接触させる方法も、実施の形態１と同様である。
【００５１】
以上のように本実施の形態によれば、使用電子機器において、操作型電子部品を使用する所定回路がアース回路と独立している場合に、カバーのみをアース回路に導通させることができる。
【００５２】
なお、上記の実施の形態１および２において、弾性金属薄板製のカバーと一体に設けられた弾性を有するアース用の脚部が、金属薄板製で半田付け性の良好な表面処理を施された導出端子と弾接触しているものとして説明したが、これを、金属薄板製のカバーと一体に設けられたアース用の脚部が、弾性を有する金属薄板製で半田付け性の良好な表面処理を施された導出端子と弾接触するようにしてもよいものである。
【００５３】
【発明の効果】
以上のように本発明によれば、金属薄板製のカバーから導出されるアース用の脚部に半田付け性の良好な表面処理を施さなくても、操作部が貫通する孔を有するカバーと配線基板を安価に確実に導通させて静電気対策をすることができる操作型電子部品を実現できるという有利な効果が得られる。
【図面の簡単な説明】
【図１】本発明の第１の実施の形態による操作型電子部品としての薄型プッシュスイッチの外観斜視図
【図２】同正面部分断面図
【図３】同分解斜視図
【図４】同連結端子板の平面図
【図５】同連結ケース体の平面図
【図６】同アース用の脚部と導出端子を弾接触させる方法を説明する正面図
【図７】同アース用の脚部の他の形状を示す外観斜視図
【図８】本発明の第２の実施の形態による操作型電子部品としての薄型プッシュスイッチを使用電子機器の配線基板に装着した状態を示す外観斜視図
【図９】同連結端子板の平面図
【図１０】同連結ケース体の平面図
【図１１】従来の操作型電子部品としての薄型プッシュスイッチの正面断面図
【図１２】同分解斜視図
【図１３】同正面部分断面図
【符号の説明】
１，１６  樹脂ケース
１Ａ  ダボ
２Ａ，１７Ａ  外側固定接点
２Ｂ，１７Ｂ  中央固定接点
３  可動接点
４  押ボタン
４Ａ  操作部
７Ａ〜７Ｄ，１８Ａ〜１８Ｄ  導出端子
１１，１５  カバー
１１Ａ  孔
１１Ｂ，１５Ａ  脚部
１２，１９  配線基板
１２Ａ，１２Ｂ，１９Ａ，１９Ｂ  配線部
１３，２０  連結端子板
１３Ａ，２０Ａ  桟部
１４，２１  連結ケース体
【図１】
0003959983.tif 000002
【図２】
0003959983.tif 000003
【図３】
0003959983.tif 000004
【図４】
0003959983.tif 000005
【図５】
0003959983.tif 000006
【図６】
0003959983.tif 000007
【図７】
0003959983.tif 000008
【図８】
0003959983.tif 000009
【図９】
0003959983.tif 000010
【図１０】
0003959983.tif 000011
【図１１】
0003959983.tif 000012
【図１２】
0003959983.tif 000013
【図１３】
0003959983.tif 000014